(57)【要約】【課題】店舗内で購買対象となる商品に関する多くの情報を得ることができるようにする。【解決手段】原稿読み取り装置１ａ及び印字部を備え、原稿読み取り装置１ａから入力された画像データに基づいてシートに画像を形成する画像形成装置において、商品の包装に印刷されたバーコードなどのコード情報を原稿読み取り装置１ａで読み取り、読み取ったコード情報を制御回路１ｂでデコードし、ユーザーが認識できる情報に変換し、商品に関する情報、商品に付随したサービス、あるいは懸賞及びキャンペーンに関する情報としてディスプレイに表示し、ユーザーに提供する。【選択図】図１
2007243702.tif 000002
【特許請求の範囲】
【請求項１】
画像入力手段及び画像出力手段を備え、画像入力手段から入力された画像データに基づいてシート状記録媒体に画像を形成する画像形成装置において、
前記画像入力手段から入力されたコード情報をデコードし、ユーザーに提供できる情報に変換する変換手段を備えていることを特徴とする画像形成装置。
【請求項２】
前記デコードされた情報が、商品に関する情報、商品に付随したサービス、懸賞及びキャンペーンに関する情報のいずれかを含んでいることを特徴とする請求項１記載の画像形成装置。
【請求項３】
外部装置と情報の通信を行う通信手段を備えていることを特徴とする請求項１記載の画像形成装置。
【請求項４】
前記コード情報を専用で入力するためのコード情報入力手段を備えていることを特徴とする請求項１ないし３のいずれか１項に記載の画像形成装置。
【請求項５】
前記デコードされた情報の内容を表示する表示手段を備えていることを特徴とする請求項１ないし４のいずれか１項に記載の画像形成装置。
【請求項６】
前記外部装置が情報を蓄積しているサーバー、前記画像出力手段による出力に対応した料金を支払う課金装置、商品管理を行うＰＯＳ端末のいずれかを含んでいることを特徴とする請求項１ないし５のいずれか１項に記載の画像形成装置。
【請求項７】
前記通信手段を介して前記サーバーにアクセスし、情報を取得する取得手段を備えていることを特徴とする請求項６に記載の画像形成装置。
【請求項８】
前記サーバーから取得した情報を第２次記憶装置に格納し、再検索の際は第２次記憶装置から取得することを特徴とする請求項６又は７記載の画像形成装置。
【請求項９】
蓄積された情報が更新されていた場合には自動的に２次記憶装置の記憶内容を更新することを特徴とする請求項６ないし８のいずれか１項に記載の画像形成装置。
【請求項１０】
取得した情報又は蓄積された情報の内容を表示する表示手段を備えていることを特徴とする請求項６ないし９のいずれか１項に記載の画像形成装置。
【請求項１１】
前記表示手段に表示された情報の内容を前記画像出力手段から前記シート状記録媒体に印字出力することを特徴とする請求項５又は１０記載の画像形成装置。
【請求項１２】
前記表示手段に表示された情報を前記通信手段によって所望の他の装置に転送することを特徴とする請求項５又は１０記載の画像形成装置。
【請求項１３】
前記表示手段に表示された情報の内容から懸賞又はキャンペーンの応募入力を受け付ける入力手段を備えていることを特徴とする請求項５又は１０記載の画像形成装置。
【請求項１４】
前記表示手段に表示された情報の内容から商品に付随したサービスを受け付ける入力手段を備えていることを特徴とする請求項５又は１０記載の画像形成装置。
【請求項１５】
前記表示手段に代えて、あるいは前記表示手段に加えて前記情報を音声出力する音声出力手段をさらに備えていることを特徴とする請求項１０ないし１４のいずれか１項に記載の画像形成装置。
【請求項１６】
前記表示手段に表示された購入情報に基づいて購入対象となる商品を指示入力することにより、前記商品の購入操作を行うことを特徴とする請求項５又は１０記載の画像形成装置。
【請求項１７】
前記購入対象となる商品が、前記コードを読み取った商品に関連する電子商品又は画像情報であることを特徴とする請求項１６記載の画像形成装置。
【請求項１８】
前記購入操作が完了した後、外部装置から購入代金の支払いを行うことを特徴とする請求項１６記載の画像形成装置。
【請求項１９】
前記外部装置がコピー代支払いのために接続された課金装置又はＰＯＳ端末であることを特徴とする請求項１８記載の画像形成装置。
【発明の詳細な説明】
【技術分野】
【０００１】
本発明は、外部サーバーの情報を蓄積し管理し、あるいは更新する機能を備えたディジタル複合機、ディジタル複写機、ファクシミリ、スキャナ、ネットワークファイルサーバー等の画像入出力機器、又はこれらのうちの複数の機能を備えたディジタル複合機等の画像形成装置に関する。
【背景技術】
【０００２】
店舗で商品を選ぶ場合、商品や商品の包装に印刷されている商品に関する情報、例えば成分、注意書き、使用法、あるいはその商品に関するキャンペーンや懸賞の応募などの情報が購入の決め手になることがある。この態様を図２２に示す。すなわち、図２２（ａ）に示すようにユーザー３が商品４の商品説明、キャンペーンや懸賞の応募の説明を読んで購入を決めると、同図（ｂ）に示すようにＰＯＳ（レジ）７のところに持参し、精算し購入が完了する。そして、購入後、同図（ｃ）に示すように携帯電話やパソコンのインターネットによる調査でパッケージには記載しきれなかった成分、またキャンペーンの詳細情報を知ることや、キャンペーンや懸賞の応募を行うことになる。
【０００３】
一方、商品４や商品の包装にはＰＯＳシステムで使用するためのバーコードが印刷されている。そこで、このバーコードを利用して種々のサービスも提供されている。例えば特許文献１には、コピーＦＡＸ複合機に印刷物を光学的に読み取り、バーコードをデコードし、商品等の発注やカタログ請求に使用する場合には請け書やカタログが印刷され、有料歌詞カードの配信の場合には歌詞カードが印刷されるという発明が開示されている。
【０００４】
また、特許文献２には、通知先電話番号と動作識別情報と対象識別情報とを含むバーコードを頒布し、バーコードを読み取り且つそのバーコードに含まれる通知先電話番号に発信する光学的読み取り装置付き通信機から、前記バーコードに含まれる動作識別情報及び対象識別情報とを受信する受信し、受信した前記動作識別情報に対応する処理を前記対象識別情報に関連して実施するという発明が開示されている。
【０００５】
さらに、特許文献３には、商品を識別するバーコード情報を有する商品画像データを記憶装置に入力させ、記憶装置に入力された商品画像データからバーコード情報を抽出して記憶装置に格納し、バーコード情報を解析し記憶装置に格納し、格納されたバーコード情報を元にしてデータ処理を行うという発明が開示されている。
【特許文献１】特開２００２−１８３５２０号公報
【特許文献２】特開２００２−２８１１７９号公報
【特許文献３】特開２００３−１８７１２６号公報
【発明の開示】
【発明が解決しようとする課題】
【０００６】
前記図２２に示したような従来の購買方法では、商品のパッケージの大きさによってキャンペーン、懸賞、成分、アレルギー等についての詳細情報を印刷できる情報量に差があり、商品や包装の大きさやデザインによって制約を受けてしまう場合ある。制約が多いと、使用される文字数や文字の大きさにも制約を受け、印刷した文字が読めなかったり、あるいは見逃してしまうことがある。また、商品側から見ても、十分な商品情報やキャンペーンなどの情報を印刷することができない場合も多い。
【０００７】
一方、特許文献１ないし３記載の発明では、バーコードを利用して種々のサービスを提供することが開示されているが、購買者が店舗中で購買対象となる商品の情報を得ることまでは配慮されていなかった。
【０００８】
本発明は、このような従来技術の実状に鑑みてなされたもので、解決すべき課題は、店舗内で購買対象となる商品に関する多くの情報を得ることができるようにすることにある。
【課題を解決するための手段】
【０００９】
前記課題を解決するため、第１の手段は、画像入力手段及び画像出力手段を備え、画像入力手段から入力された画像データに基づいてシート状記録媒体に画像を形成する画像形成装置において、前記画像入力手段から入力されたコード情報をデコードし、ユーザーに提供できる情報に変換する変換手段を備えていることを特徴とする。
【００１０】
第２の手段は、第１の手段において、前記デコードされた情報が、商品に関する情報、商品に付随したサービス、懸賞及びキャンペーンに関する情報のいずれかを含んでいることを特徴とする。
【００１１】
第３の手段は、第１の手段において、外部装置と情報の通信を行う通信手段を備えていることを特徴とする。
【００１２】
第４の手段は、第１ないし第３のいずれかの手段において、前記コード情報を専用で入力するためのコード情報入力手段を備えていることを特徴とする。
【００１３】
第５の手段は、第１ないし第４のいずれかの手段において、前記デコードされた情報の内容を表示する表示手段を備えていることを特徴とする。
【００１４】
第６の手段は、第１ないし第５のいずれかの手段において、前記外部装置が情報を蓄積しているサーバー、前記画像出力手段による出力に対応した料金を支払う課金装置、商品管理を行うＰＯＳ端末のいずれかを含んでいることを特徴とする。
【００１５】
第７の手段は、第６の手段において、前記通信手段を介して前記サーバーにアクセスし、情報を取得する取得手段を備えていることを特徴とする。
【００１６】
第８の手段は、第６又は第７の手段において、前記サーバーから取得した情報を第２次記憶装置に格納し、再検索の際は第２次記憶装置から取得することを特徴とする。
【００１７】
第９の手段は、第６ないし第８のいずれかの手段において、蓄積された情報が更新されていた場合には自動的に２次記憶装置の記憶内容を更新することを特徴とする。
【００１８】
第１０の手段は、第６ないし第９のいずれかの手段において、取得した情報又は蓄積された情報の内容を表示する表示手段を備えていることを特徴とする。
【００１９】
第１１の手段は、第５又は第１０の手段において、前記表示手段に表示された情報の内容を前記画像出力手段から前記シート状記録媒体に印字出力することを特徴とする。
【００２０】
第１２の手段は、第５又は第１０の手段において、前記表示手段に表示された情報を前記通信手段によって所望の他の装置に転送することを特徴とする。
【００２１】
第１３の手段は、第５又は第１０の手段において、前記表示手段に表示された情報の内容から懸賞又はキャンペーンの応募入力を受け付ける入力手段を備えていることを特徴とする。
【００２２】
第１４の手段は、第５又は第１０の手段において、前記表示手段に表示された情報の内容から商品に付随したサービスを受け付ける入力手段を備えていることを特徴とする。
【００２３】
第１５の手段は、第１０ないし第１４のいずれかの手段において、前記表示手段に代えて、あるいは前記表示手段に加えて前記情報を音声出力する音声出力手段をさらに備えていることを特徴とする。
【００２４】
第１６の手段は、第５又は第１０の手段において、前記表示手段に表示された購入情報に基づいて購入対象となる商品を指示入力することにより、前記商品の購入操作を行うことを特徴とする。
【００２５】
第１７の手段は、第１６の手段において、前記購入対象となる商品が、前記コードを読み取った商品に関連する電子商品又は画像情報であることを特徴とする。
【００２６】
第１８の手段は、第１６の手段において、前記購入操作が完了した後、外部装置から購入代金の支払いを行うことを特徴とする。
【００２７】
第１９の手段は、第１８の手段において、前記外部装置がコピー代支払いのために接続された課金装置又はＰＯＳ端末であることを特徴とする。
【００２８】
なお、後述の実施形態では、画像入力手段は原稿読み取り装置１ａに、画像出力手段は印字部（画像出力機能）に、変換手段及び通信手段は制御回路１ｂに、コード情報入力手段はバーコードスキャナ９に、表示手段はディスプレイ６に、課金装置は符号１１に、ＰＯＳ端末は符号７に、２次記憶装置はハードディスク装置８に、入力手段はディスプレイ６のタッチパネル機能に、音声出力手段は符号１０に、それぞれ対応する。
【発明の効果】
【００２９】
本発明によれば、画像入力手段から入力されたコード情報をデコードし、ユーザーに提供できる情報に変換する変換手段を備えているので、店舗内で購買対象となる商品に関する多くの情報を得ることができる。
【発明を実施するための最良の形態】
【００３０】
以下、図面を参照し、本発明の実施形態について説明する。
【００３１】
図１は本発明の実施形態に係る商品情報検索装置のシステム構成及び動作を示す図である。このシステムは画像形成装置１とサーバー２とから構成され、画像形成装置１はスーパーマーケット（以下、スーパーと略称する）やコンビニエンスストア（以下、コンビニと略称する）などの店舗に置かれ、インターネットあるいはネットワークを介して前記店舗外に設置されたサーバー２と接続されている。画像形成装置１には、最上部に原稿読み取り装置１ａが設けられ、この原稿読み取り装置（スキャナ）１ａにより購入しようとしている商品パッケージに印刷されているコード、ここではバーコードを読み込ませ、バーコード情報が入力される。したがって、画像形成装置１の原稿読み取り装置１ａが入力装置を構成している。原稿読み取り装置１ａのハード構成は、光源が移動してコンタクトガラス上の原稿を読み取る公知のものである。画像形成装置１には、さらに、商品情報を蓄積している外部のサーバー２にアクセスし、商品情報をダウンロードするＣＰＵを備えた制御回路１ｂが搭載されている。この制御回路１ｂは、前記ダウンロード後、読み込んだ商品情報の詳細を画像形成装置１のディスプレイ６に表示する。また、読み込んだバーコードの認識、解析、変換もこの制御回路１ｂが実行する。したがって、制御回路１ｂが変換手段を構成している。
【００３２】
すなわち、図１（ａ）に示すように、ユーザー３が商品４を店舗内の画像形成装置１まで持参し、商品４又は商品の包装に印刷されているバーコード４ａを画像形成装置１の原稿読み取り装置１ａによって読み取らせる。画像形成装置１は読み取ったバーコード４に基づいてサーバー２にインターネットあるいはネットワーク（以下、単にネットと称する。）５を介してアクセスし、図１（ｂ）に示すようにサーバー２からバーコード４を読み込んだ商品の商品その他の情報（以下、購買情報と称す。）を取得する。この場合の購買情報には、例えば、商品についての情報である商品情報の詳細、アレルギー情報、キャンペーン情報、懸賞情報などが含まれる。なお、ネットワーク５を通じてのサーバー２へのアクセス制御は前記制御回路１ｂによって実行される。したがって、ここでは、制御回路１ｂが通信手段を構成する。
【００３３】
購買情報を取得した画像形成装置１は、図１（ｃ）に示すように取得した情報を自身の操作表示画面（以下、ディスプレイと称す。）６に表示する。符号６ａ、６ｂはディスプレイ６の表示例を示すもので、例えば符号６ａで示すディスプレイ６には、メーカー名、成分表、アレルゲンとなるものなどが表示されている。また、符号６ｂで示すディスプレイ６には、懸賞に関する情報、すなわち、懸賞の種類や申し込み方法が表示されている。
【００３４】
ユーザーは図１（ｃ）に示すような表示を見て購入の是非を判断することができ、前記表示された情報が購入の決め手になる場合もある。その表示を見て購入する際には、図１（ｄ）に示すようにバーコード４を読み取らせた商品をＰＯＳ端末（レジ）７に持参して精算すればよい。なお、購入に際して画像形成装置１から懸賞の応募、キャンペーンの参加を直ちに申し込むことも可能である。
【００３５】
なお、図１に示した例では、外部のサーバー２から購買情報を取得しているが、図２に示すように画像形成装置１内部の第２次記憶装置であるハードディスク装置８から情報を検索し、該当する情報を取得するように構成することもできる。すなわち、商品４に付されたバーコード４ａのコードを画像形成装置１の読み取り装置あるいは従来から使用されているバーコードスキャナ、あるいはテンキーなどのコード情報入力手段から入力すると、画像形成装置１の制御回路１ｂがバーコードを解析して、そのバーコードに対応する情報をハードディスク装置８から検索して取得し、商品が何なのか取得することができる。
【００３６】
図３は外部装置であるＰＯＳ端末７に接続してＰＯＳ端末７から購買情報を通信する例を示す図である。すなわち、図３の例は、図１のサーバー２に代えて接続先をＰＯＳ端末７としたもので、画像形成装置１が入力されたコード情報に基づいてＰＯＳ端末７から商品その他の情報を取得する。当然ＰＯＳ端末７の情報は図示しないサーバーから必要に応じて更新される。このようにＰＯＳ端末７に接続されていると、その入力された商品がすでに購買済みなのかを確認することができる。
【００３７】
図４は、図１及び図２に示した画像形成装置１に対してバーコードを読み出す専用のコード入力装置（バーコードスキャナ）９を備え付けた例を示す図である。このように専用のコード入力装置９によってバーコードの入力を行うように構成することも可能である。この場合には、読み取り装置からではなく、専用のコード入力装置９によってバーコード入力を行うことができるので、画像形成装置１本体のバーコード読み取り機能を省略することが可能となる。
【００３８】
図５は、サーバー２に情報要求を行い、商品情報を受け取る様子を示す図である。この図からわかるように、画像形成装置１側から情報要求がサーバー２側に出力され、サーバー２から前記情報要求及びコード情報に基づいてサーバー２内で検索された商品（購買）情報が送信される。画像形成装置１側では、図６に示すようにサーバー２から送信されてきた商品情報をハードディスク装置８に蓄積し、ハードディスク装置８では、図７に示すように更新された新しい情報がサーバー２側から送信されてくれば、図６でハードディスク装置８に蓄積された情報を上書きし、更新する。図７の例では、Ｂ情報が新しく更新されていたので、古いＢ情報を上書き更新している。前述の操作表示部６への購買情報の表示は、図８に示すようにハードディスク装置８に蓄積された購買情報からその商品に該当する情報、図ではＡ情報が表示される。ここには前述のように商品に関する情報だけではなく、さらに詳細な成分表示やキャンペーン、懸賞情報の掲載を行うことができる。
【００３９】
表示内容は画像形成装置１の印字部（画像出力機能）によりハードコピーとして出力し（図９参照）、メール機能によりＥメールで送信し（図１０参照）、あるいはファックス機能によりファックス送信することができる。なお、図９はハードコピー出力の概略を示す図、図１０はメール送信の概略を示す図である。また、図１１は前述の図１（ｂ）の懸賞に関するディスプレイ６の他の表示例を示す図である。この表示例では、取得した商品情報のうちキャンペーンや懸賞への応募が可能であることを示している。ここでは懸賞の情報と共に「申し込みボタン」６ｃを設けて、ユーザーがこれを押すことによって、外部装置（例えばサーバー２）と接続し、規定の情報を入力することによって懸賞の応募が可能となっている。
【００４０】
図１２は音声出力装置１０を備えた画像形成装置１を示す図である。この音声出力装置１０は、購入した、あるいは購入しようとしている商品が音楽製品であれば、音楽の一部を流すことが可能であり、また、視覚障害のある人、子供など文字や漢字が読めない人に対して商品情報や購買情報の提供に役立つ。
【００４１】
図１３は商品に付属しているサービス製品として、電子商品の壁紙のサービスや、画像情報のポスター印刷サービスを受け付ける状態を示す図である。画像形成装置１のディスプレイ６に表示されているサービス製品をユーザーが選択することによってサービスを即時に受けることができる。ここでは、ディスプレイ６に表示された「ポスター印刷」と「壁紙送信」の表示部分をタッチすることによりそのサービスが選択入力され、ポスター印刷であれば図９にも示したように画像形成装置１の画像出力機能によりそのポスターが印刷されて出力される。ポスターの内容は例えばインターネットを介してサーバー２から取得され、画像形成装置１で画像処理されて出力される。また、壁紙送信を選択した場合には、選択された壁紙の画像情報がＥメールによって画像形成装置１から入力したメールアドレスに送信される。
【００４２】
図１４は画像形成装置１から商品に関連する電子商品あるいは画像情報を購入する様子を示す図である。ここでユーザーがディスプレイ６に表示された申し込みキーを押すと、ディスプレイ６のタッチパネル機能により「申し込み」の入力が行われ、外部のサーバー２と接続され、規定の情報を入力し、支払いを完了すれば購入することができる。支払い方法は種々あるが、本実施形態では、画像形成装置１を使用しているので課金装置１１を利用する。この状態を図１５に示す。すなわち、通常、店舗に設置された画像形成装置（コピー機）１では課金装置１１が接続されているので、この課金装置１１を使用して支払いを行う。購入する場合には課金装置１１に所定の金額を入れる。入れると購入可能であることを示す反転表示が行われ、ユーザーの購入が可能になる。ここでは、購入したポスターの代金が表示され、購入したポスターが画像形成装置１から印字出力される。
【００４３】
図１６はＰＯＳ端末７によって代金を支払い、サービスの提供を受ける様子を示す図である。この例では、ここでユーザーがディスプレイ６に表示されたポスターの申し込みキーを押すと、表示されたサービスや商品の購入申し込みを受け付け、ＰＯＳ端末７で前記サービスあるいは商品の支払いが行われると、そのことがＰＯＳ端末７に接続された画像形成装置１に通知され、画像形成装置１はこの通知に基づいてポスターを印字出力する。なお、図１６では、ＰＯＳ端末７によって代金の支払いを受け付けているが、ＰＯＳ端末７以外にも電子マネー等を検知できる外部装置を使用することもできる。
【００４４】
図１７は本実施形態におけるメインルーチンの処理手順を示すフローチャートである。図１７のメインルーチンは初期設定（ステップＳ１０１）、商品情報参照動作（ステップＳ１０２）及び商品関連情報参照動作（ステップＳ１０３）のサブルーチンからなる。
【００４５】
図１８はステップＳ１０１の初期設定のサブルーチンの処理手順を示すフローチャートである。  
同図において、初期設定が開始されると、画像形成装置１は外部装置、ここではＰＯＳ端末７と通信して購入情報などを取得し（ステップＳ２０１）、さらに、商品情報が蓄積されている外部サーバー２と通信し、商品情報を受信する（ステップＳ２０２）。画像形成装置１は外部サーバー２から取得した商品情報をＨＤＤ８に蓄積する（ステップＳ２０３）。その際、蓄積されようとしている情報が蓄積されている情報と比較して新しいか古いかが判断され（ステップＳ２０４）、新しいのであれば、ＨＤＤ８に蓄積された情報を新情報に更新する（ステップＳ２０５）。ステップＳ２０４で情報が変わらないか古いのであれば、更新せずにそのまま終了する。これで、初期設定の処理が完了する。
【００４６】
図１９はステップＳ１０２の商品情報参照動作における処理手順を示すフローチャートである。  
同図において、商品情報参照動作が開始されると、まず、コード入力されたか否かをチェックし（ステップＳ３０１）、コード入力されると、画像入力装置あるいは専用入力装置からかを判断する（ステップＳ３０２）。画像入力手段からであればバーコードの位置を特定する（ステップＳ３０３）。専用装置からであれば専用装置からバーコード情報を取得する（ステップＳ３０４）。
【００４７】
次いで、ステップＳ３０３，Ｓ３０４で得たバーコードを解析して検索したい商品を特定する（ステップＳ３０５）。商品が特定されると、特定した商品情報がＨＤＤ８にあるかどうか検索し（ステップＳ３０６）、さらに、検索結果から特定した商品の商品情報が見つかったか否かをチェックし（ステップＳ３０７）、見つかったのであれば、ＨＤＤ８に蓄積されたその商品の情報をディスプレイ６に表示させる（ステップＳ３０８）。一方、ステップＳ３０７で見つからなかったのであれば、外部サーバー２に通信し、外部サーバー２から情報を受信し（ステップＳ３０９）、さらに受信した情報の中で商品情報を見つけられたか否かをチェックする（ステップＳ３１０）。
【００４８】
ステップＳ１０で商品情報が見つかったのであれば、ＨＤＤ８に情報を蓄積し（ステップＳ３１１）、ディスプレイ６に商品情報を表示する（ステップＳ３０８）。ステップＳ３１０で商品情報が見つからなかったのであれば、再度ステップＳ３０１に戻りコード入力を待つ。
【００４９】
ステップＳ３０８ではディスプレイ６に図２０で示すような商品情報を表示する。ユーザーは表示された商品情報から所望の選択枝（ここでは、Ｅメール、用紙出力、音声）を選択し、あるいは、何も選択しない。すなわち、外部出力を選択すれば、商品情報を外部に出力し（ステップＳ３１４）、用紙出力を選択すれば、商品情報を用紙に印字出力し（ステップＳ３１５）、音声出力を選択すれば商品情報に含まれている音声情報を音声出力し（ステップＳ３１６）処理を終える。もし、ステップＳ３１３で何も選択されなければ、そのまま処理を終える。これで、商品情報参照動作時の処理が完了する。
【００５０】
図２１はステップＳ１０３の商品関連情報参照動作における処理手順を示すフローチャートである。  
同図において、商品関連情報参照動作が開始されると、コード入力された商品が購入されたか否かをチェックする（ステップＳ４０１）。このチェックは外部装置のＰＯＳ端末７との通信によって行う。ステップＳ４０１で商品が購入されていれば、商品を購入することにより受けられるサービスを表示する（ステップＳ４０２）。購入されていないのであれば、処理を完了する。ステップＳ４０３ではステップＳ４０２で表示されたサービスを受けるか否かを選択する。ステップＳ４０３でサービスを受けることを選択すると、指定されたサービス処理を行って（ステップＳ４０４）、ステップＳ４０５に進む。サービスを受けない場合には、そのままステップＳ４０５に移行する。
【００５１】
ステップＳ４０５ではキャンペーンや懸賞情報を表示し、ステップＳ４０６で表示されたキャンペーンや懸賞に応募するか選択する。応募するのであれば、キャンペーンや懸賞に応募するための処理を行い（ステップＳ４０７）、応募しない場合は、そのままステップＳ４０８に移行する。ステップＳ４０８では、購入した商品の関連商品を表示する。次いで、ステップＳ４０９においてステップＳ４０８で表示された関連商品を購入するか否かを選択する。ステップＳ４０９で購入を選択した場合は課金をコピー課金装置１１で行ったか否かをチェックし（ステップＳ４１０）、コピー課金装置１１に支払っていないのであれば外部装置（ＰＯＳ端末７）に支払ったか否かをチェックする（ステップＳ４１１）。コピー課金装置あるいは外部装置に支払っていれば（ステップＳ４１０，Ｓ４１０−ＹＥＳ）、購入した商品の処理を行い（ステップＳ４１２）、ステップＳ４０９で関連商品を購入しない場合、ステップＳ４１０でコピー課金装置１１にも、ステップＳ４１１でＰＯＳ端末７にも支払っていなければ、商品関連情報参照動作時の処理を完了する。
【００５２】
以上のように、本実施形態によれば、
１）コードをバーコードスキャナのような専用端末ではなく画像形成装置の原稿読み取り装置（画像入力手段）で代用することが可能となる。  
２）外部装置との情報通信を行うことによりコード情報の更新が可能となる。また、チェックする商品の代金の支払いの有無も確認することができる。  
３）画像形成装置に専用入力装置を備えさせることによって従来と同じ処理で商品特定が可能となる。  
４）ディスプレイ上で操作することにより情報を入力する手間を省くことができる。  
５）大容量のＨＤＤを使用することにより安価に大量の情報を蓄積することができる。  
６）情報が更新された場合には、ＨＤＤ内の情報を自動的に更新するので、古い情報のままでディスプレイに表示させることがなく、常に最新の情報を表示させることができる。
７）購買情報は一時的な情報が多いためにディスプレイに表示させることにより、資源の浪費を防止した上で、ユーザーへアピールすることができる。  
８）ユーザーが購買情報を恒久的に持ち得たいのであれば用紙出力を行うことにより、ユーザーの満足度を高めることができる。  
９）ユーザーが購買情報を恒久的にかつ、自分が所有する機器に保存したいのであれば、外部機器に通信してＥメールで送信し、あるいは無線で通信することにより、自前のＰＤＡや携帯に保存することが可能であり、利便性の向上を図ることができる。  
１０）キャンペーンや懸賞はほとんどの場合、購入してすぐに申し込めるものは少ないが、ディスプレイから操作入力するだけで申し込み可能なので、懸賞目当てやキャンペーン目当てで購入した場合は、販促効果が期待できる。  
１１）商品情報の中に音声情報があるならば、これを利用することでユーザーは商品情報を楽しむことができる。また、視覚障害者にとっては商品情報の成分やアレルギーについての情報を得ることが可能になる。  
１２）購入すると必ず受けられるサービスは、たいていは店でもらえるおまけや値引きであり、購入すると必ず画像形成装置から受けられるサービスを提示することができるので、多様なサービスを提供することが可能となる。  
１３）購入後に関連商品を購入する場合は、たいていはインターネットかその商品の商品棚の並び方で気づくものが多い。そこで、画像形成装置のディスプレイにその情報を表示させることによってさらなる需要を掘り起こすことが可能となる。  
１４）画像形成装置を通じて、ものを購入する際に支払いを行うときに従来使用している課金装置をそのまま使用することができるので、ユーザーは違和感なく購入することが可能となる。  
１５）大金であれば、課金装置が対応していないこともあるので、その場合は外部装置との接続によって、電子マネーの受領装置やＰＯＳ端末との通信によって支払ったことを通知させることができ、これにより購入しやすくなる。
【００５３】
等の効果を奏する。
【図面の簡単な説明】
【００５４】
【図１】本発明の実施形態に係る商品情報検索装置のシステム構成及び動作を示す図である。
【図２】図１における画像形成装置内での検索動作を示す図である。
【図３】外部装置であるＰＯＳ端末に接続してＰＯＳ端末から購買情報を通信する例を示す図である。
【図４】画像形成装置に対してバーコードを読み出す専用のコード入力装置を備え付けた例を示す図である。
【図５】サーバーに情報要求を行い、商品情報を受け取っている状態を示す図である。
【図６】サーバーから送信されてきた商品情報をハードディスク装置に蓄積している状態を示す図である。
【図７】更新された新しい情報がサーバー側から送信されて来たときにハードディスク装置に蓄積された情報を上書きし、更新する動作を示す図である。
【図８】ハードディスク装置に蓄積された購買情報からその商品に該当する情報を表示するときの状態を示す図である。
【図９】画像形成装置の印字部により表示内容をハードコピーとして出力するときの状態を示す図である。
【図１０】画像形成装置の印字部により表示内容をＥメール送信するときの状態を示す図である。
【図１１】図１（ｂ）の懸賞に関するディスプレイの他の表示例を示す図である。
【図１２】音声出力装置を備えた画像形成装置を示す図である。
【図１３】商品に付属しているサービス製品として電子商品の壁紙のサービス、画像情報のポスター印刷サービスを受け付ける状態を示す図である。
【図１４】画像形成装置１から商品に関連する電子商品あるいは画像情報を購入するときの状態を示す図である。
【図１５】代金の支払いに課金装置を使用した例を示す図である。
【図１６】ＰＯＳ端末によって代金を支払い、サービスの提供を受けるときの状態を示す図である。
【図１７】本実施形態におけるメインルーチンの処理手順を示すフローチャートである。
【図１８】図１７におけるステップＳ１０１の初期設定のサブルーチンの処理手順を示すフローチャートである。
【図１９】図１７におけるステップＳ１０２の商品情報参照動作における処理手順を示すフローチャートである。
【図２０】図１９におけるステップＳ３０８のディスプレイに表示される商品情報の例を示す図である。
【図２１】図１７におけるステップＳ１０３の商品関連情報参照動作における処理手順を示すフローチャートである。
【図２２】従来から実施されている店舗で商品を選ぶときの態様を示す図である。
【符号の説明】
【００５５】
１  画像形成装置
１ａ  原稿読み取り装置
１ｂ  制御回路
２  サーバー
４  商品
４ａ  バーコード
５  ネットワーク
６  ディスプレイ
７  ＰＯＳ端末
８  ハードディスク装置
９  コード入力装置（バーコードスキャナ）
１０  音声出力手段
１１  課金装置
【図１】
2007243702.tif 000003
【図２】
2007243702.tif 000004
【図３】
2007243702.tif 000005
【図４】
2007243702.tif 000006
【図５】
2007243702.tif 000007
【図６】
2007243702.tif 000008
【図７】
2007243702.tif 000009
【図８】
2007243702.tif 000010
【図９】
2007243702.tif 000011
【図１０】
2007243702.tif 000012
【図１１】
2007243702.tif 000013
【図１２】
2007243702.tif 000014
【図１３】
2007243702.tif 000015
【図１４】
2007243702.tif 000016
【図１５】
2007243702.tif 000017
【図１６】
2007243702.tif 000018
【図１７】
2007243702.tif 000019
【図１８】
2007243702.tif 000020
【図１９】
2007243702.tif 000021
【図２０】
2007243702.tif 000022
【図２１】
2007243702.tif 000023
【図２２】
2007243702.tif 000024